(57)【要約】【課題】異物の侵入や浸水を防止することができるとともに調芯精度を向上させることができ、信頼性の向上を図ることができる待ち受けコネクタを提供する。【解決手段】待ち受けコネクタ１０は、相手側コネクタ１５との嵌合口が設けられたコネクタハウジング１１と、コネクタハウジング１１に接続されてフロア１内を配索されているワイヤハーネス１６を保持するスライドプロテクタ１２と、を備え、コネクタハウジング１１は、嵌合口を車室内に露呈させることなくフロア１に収納され且つ回動可能にフロア１に支持されており、組付体のフロア１への組み付けに伴って回動して嵌合口を車室内に露呈させ、スライドプロテクタ１２は、コネクタハウジング１１に接近・離間するようにスライド移動可能にフロア１に支持されており、スライドプロテクタ１２とコネクタハウジング１１との間のハーネス長さを一定に保つようにコネクタハウジング１１の回動に応答してスライドプロテクタ１２をスライド移動させる連動機構１３をさらに備えた。【選択図】図１
2008123748.tif 000002
【特許請求の範囲】
【請求項１】
車両のフロアに設けられ、当該フロアに着脱可能に組み付けられる組付体に設けられた相手側コネクタに、当該組付体の前記フロアへの組み付けに伴って自動的に接続される待ち受けコネクタであって、
前記待ち受けコネクタが、前記相手側コネクタとの嵌合口が設けられたコネクタハウジングと、当該コネクタハウジングに接続されて前記フロア内を配索されているワイヤハーネスを保持するスライドプロテクタと、を備え、
前記コネクタハウジングは、前記嵌合口を車室内に露呈させることなく前記フロアに収納され且つ回動可能に当該フロアに支持されており、前記組付体の前記フロアへの組み付けに伴って回動して当該嵌合口を車室内に露呈させ、
前記スライドプロテクタは、前記コネクタハウジングに接近・離間するようにスライド移動可能に前記フロアに支持されており、
前記スライドプロテクタと前記コネクタハウジングとの間のハーネス長さを一定に保つように当該コネクタハウジングの回動に応答して当該スライドプロテクタをスライド移動させる連動機構をさらに備えたことを特徴とする待ち受けコネクタ。
【請求項２】
前記連動機構は、前記コネクタハウジングと前記スライドプロテクタとの間に渡された弾性部材であることを特徴とする請求項１に記載の待ち受けコネクタ。
【請求項３】
前記連動機構は、前記コネクタハウジングと共に回動するギアと、当該ギアに噛合うピニオンギア、及び当該ピニオンギアに噛合うラックギアであり、前記スライドプロテクタは当該ラックギアに固定されていることを特徴とする請求項１に記載の待ち受けコネクタ。
【発明の詳細な説明】
【技術分野】
【０００１】
本発明は、車両のフロアに着脱可能に組み付けられるシートやコンソールボックス等の組付体の相手側コネクタに、組付体のフロアへの組み付けに伴って自動的に接続される待ち受けコネクタに関する。
【背景技術】
【０００２】
近年、自動車、特にワンボックスカー等においては、フロアに設けられているファーストシートやセカンドシート等のシート装置の間、或いはコンソールボックスを着脱可能にしてウオークスルーできるようにする傾向がある。しかし、シート装置には、例えばシートスライド機構やシートリクライニング機構等の電装品が設けられており、コンソールボックスには、例えば携帯電話ハンズフリー用の電線や携帯型オーディオ機器用の電線が収納されているために、シート装置やコンソールボックスの取り付けと共にそれらの電線が車体側の電気系統に接続されるように構成する必要がある。
【０００３】
このような背景を鑑みて、図１６に示すように、シート装置１００がフロア１０１に搭載されることで、シート装置１００の下方に引き出されているシート側コネクタ１０２がフロア側コネクタ１０３に接続され、シート装置１００がフロア１０１から取り外されるときに、両コネクタ１０２，１０３が離脱されるようにした待ち受けコネクタがある（例えば、特許文献１参照）。
【０００４】
【特許文献１】特表２００４−５２４２０６号公報（図１）
【発明の開示】
【発明が解決しようとする課題】
【０００５】
ところが、上記特許文献１では、シート装置１００がフロア１０１から取り外されている際に、フロア側コネクタ１０３が嵌合口を上方に向けて露出しているために、接続には便利であるが、フロア側コネクタ１０３への異物の侵入や浸水などの虞があり、接続の信頼性が低下する。
【０００６】
また、シート装置１００をフロア１０１に搭載するに際し、シート装置１００を支えながらシート側コネクタ１０２をフロア側コネクタ１０３に合わさなければならない。そのため、両コネクタ１０２，１０３の調芯精度が低くなる虞がある。
【０００７】
さらに、シート装置１００がフロア１０１に搭載されている状態で、フロア側コネクタ１０３がフロア１０１の表面とほぼ同一の面に配置されているために、フロア１０２上に水等がこぼれたときに、その水が浸入する虞がある。
【０００８】
本発明は、上述した事情に鑑みてなされたものであり、その目的は、異物の侵入や浸水を防止することができるとともに調芯精度を向上させることができ、信頼性の向上を図ることができる待ち受けコネクタを提供することにある。
【課題を解決するための手段】
【０００９】
上記目的は、本発明に係る下記（１）〜（３）の待ち受けコネクタにより達成される。
【００１０】
（１）車両のフロアに設けられ、当該フロアに着脱可能に組み付けられる組付体に設けられた相手側コネクタに、当該組付体の前記フロアへの組み付けに伴って自動的に接続される待ち受けコネクタであって、
前記待ち受けコネクタが、前記相手側コネクタとの嵌合口が設けられたコネクタハウジングと、当該コネクタハウジングに接続されて前記フロア内を配索されているワイヤハーネスを保持するスライドプロテクタと、を備え、
前記コネクタハウジングは、前記嵌合口を車室内に露呈させることなく前記フロアに収納され且つ回動可能に当該フロアに支持されており、前記組付体の前記フロアへの組み付けに伴って回動して当該嵌合口を車室内に露呈させ、
前記スライドプロテクタは、前記コネクタハウジングに接近・離間するようにスライド移動可能に前記フロアに支持されており、
前記スライドプロテクタと前記コネクタハウジングとの間のハーネス長さを一定に保つように当該コネクタハウジングの回動に応答して当該スライドプロテクタをスライド移動させる連動機構をさらに備えたことを特徴とする待ち受けコネクタ。
（２）前記連動機構は、前記コネクタハウジングと前記スライドプロテクタとの間に渡された弾性部材であることを特徴とする上記（１）に記載の待ち受けコネクタ。
（３）前記連動機構は、前記コネクタハウジングと共に回動するギアと、当該ギアに噛合うピニオンギア、及び当該ピニオンギアに噛合うラックギアであり、前記スライドプロテクタは当該ラックギアに固定されていることを特徴とする上記（１）に記載の待ち受けコネクタ。
【発明の効果】
【００１１】
本発明によれば、組付体が取り外されている際には、コネクタハウジングは、その嵌合口を車室内に露呈させることなくフロア内に収納され、組付体が組み付けられた際に、組み付けに伴い自動的にその嵌合口を露呈させ、相手側コネクタとの接続に備える。即ち、必要に応じて嵌合口を露呈させるもので、それにより異物の侵入や浸水を低減できるとともに調芯精度を向上させることができる。また、連動機構によって、コネクタハウジングの回動に伴いワイヤハーネスに作用する負荷を、スライドプロテクタとコネクタハウジングとの間での長さを一定に保つことで軽減することができる。
【００１２】
また、連動機構が、コネクタハウジングとスライドプロテクタとの間に渡された弾性部材であることで、複雑な機構を伴うことなく簡素な構造でワイヤハーネスに作用する負荷を軽減することができる。
【００１３】
また、連動機構が、コネクタハウジングと共に回動するギアと、ギアに噛合うピニオンギア、及びピニオンギアに噛合うラックギアであり、スライドプロテクタがラックギアに固定されていることで、ギアとピニオンギアとラックギアとからなる歯車機構によって、コネクタハウジングとスライドプロテクタとの動作を誤差なく確実に行うことができる。
【発明を実施するための最良の形態】
【００１４】
以下、図を参照して本発明の複数の好適な実施形態を説明する。
【００１５】
（第１実施形態）
図１〜図６は本発明に係る待ち受けコネクタの第１実施形態を示すもので、図１は本発明の待ち受けコネクタの第１実施形態のコンソールボックス取り付け時の外観斜視図、図２は図１の待ち受けコネクタの正面図、図３〜図６は図１の待ち受けコネクタにおけるコンソールボックスの取り付け手順を説明するそれぞれ一部破断側面図である。なお、以下の説明において、前、後、左、右は、車体の方向に準じて記載するものとし、図１中の左方手前側が車体の前方である。
【００１６】
図１、図２、図３に示すように、第１実施形態の待ち受けコネクタ１０は、コネクタハウジング１１と、スライドプロテクタ１２と、連動機構である弾性部材１３と、を備え、組付体であるコンソールボックス（図３に示す。）１４に設けられた相手側コネクタ１５に接続される。
【００１７】
車体のフロア１には、コンソールボックス１４の移動方向に凹設された収納部２が形成されており、この収納部２内に待ち受けコネクタ１０に接続されているフロアワイヤハーネス１６が配索されている。スライドプロテクタ１２から引き出されている部分にコルゲートチューブ１７が被されている。フロアワイヤハーネス１６は、不図示の携帯電話ハンズフリー用の回路や携帯型オーディオ機器用の回路に接続されている。
【００１８】
また、収納部２には、カバー部材３が被着されており、このカバー部材３に、待ち受けコネクタ１０のコネクタハウジング１１の外形よりもわずかに大きいコネクタ挿通孔４と、コネクタ挿通孔４からカバー部材３の長さ方向に連通して切除されたワイヤハーネス挿通孔５と、が形成されている。
【００１９】
待ち受けコネクタ１０は、コネクタハウジング１１に嵌合口１８を有し、この嵌合口１８の反対側に設けられている枢支軸１９がカバー部材３上にスライド移動可能なスライダ６のブラケット７に軸支されている。スライダ６は、コンソールボックス１４組付け用の固定孔８を一対備えている。
【００２０】
また、待ち受けコネクタ１０は、コネクタハウジング１１の反嵌合口１８側に、枢支軸１９からさらに突出した押圧部２０が形成されている。
【００２１】
スライドプロテクタ１２は、収納部２の溝方向に形成されているガイドレール９に支持されているために、収納部２の溝方向にスライド移動される。また、スライドプロテクタ１２は、コネクタハウジング１１の反嵌合口１８側から収納部２内に引き出されているフロアワイヤハーネス１６に外嵌固定されている。
【００２２】
弾性部材１３は、弾性反発力を有する板状部材であって、一端部がコネクタハウジング１１の反嵌合口１８側に固定され、他端部がスライドプロテクタ１２に固定されている。
【００２３】
相手側コネクタ１５は、コンソールボックス１４の前方側に組み込まれており、嵌合口２１が下方を向いてコンソールボックス１４の下面に同一状にして配置され、嵌合口２１からさらに下方に向けて突出した押圧突起２２を有する。相手側コネクタ１５は、コンソールボックス１４内の不図示の携帯電話ハンズフリー用の回路や携帯型オーディオ機器用の回路に接続されている。
【００２４】
以上のように構成された待ち受けコネクタ１０における相手側コネクタ１５との組付けおよび動きを、図３を含め、図４〜図６を参照して順次説明する。
【００２５】
図３に示すように、コンソールボックス１４がフロア１上にあってフロア１に組付けされる以前に、待ち受けコネクタ１０は、コネクタハウジング１１がカバー部材３のコネクタ挿通孔４内に収納されており、嵌合口１８がカバー部材３に覆われて車室内に露呈させることなく、フロア１の面方向に配置されている。このとき、スライドプロテクタ１２は、コネクタハウジング１１が嵌合口１８をフロア１方向に向けているために、待ち受けコネクタ１０から離れた位置に配置されてフロアワイヤハーネス１６を、ほぼ直線状に保持している。相手側コネクタ１５は、スライダ６の前側上方にある。
【００２６】
図４に示すように、コンソールボックス１４がスライダ６の固定孔８に向けて降下してくると、相手側コネクタ１５の押圧突起２２が待ち受けコネクタ１０の押圧部２０を下方に向けて押圧する。これに伴い、待ち受けコネクタ１０は、枢支軸１９を介して図４中反時計回転方向に回動を始め、嵌合口１８をフロア１の上方に向けるように、カバー部材３のコネクタ挿通孔４上に突出し始める。このとき、スライドプロテクタ１２は、コネクタハウジング１１の回動に伴い、弾性部材１３の一端部が離れていくために、それに追従して待ち受けコネクタ１０に近づくように図４中の左方向にスライド移動される。これにより、弾性部材１３が湾曲形状に弾性変形されることで、フロアワイヤハーネス１６のスライドプロテクタ１２とコネクタハウジング１１との間での長さ（Ａ）を一定に保ってフロアワイヤハーネス１６に作用する負荷を軽減する。
【００２７】
図５に示すように、コンソールボックス１４がスライダ６の固定孔８に向けてさらに降下してくると、相手側コネクタ１５の押圧突起２２によって待ち受けコネクタ１０が嵌合口１８をフロア１の上方に向けて配置されて待ち受けコネクタ１０がフロア１上に突出して配置され、嵌合口１８が上方に向けて配置されている待ち受けコネクタ１０に相手側コネクタ１５の嵌合口２１が嵌合される。これにより、フロアワイヤハーネス１６がコンソールボックス１４内の携帯電話ハンズフリー用の回路や携帯型オーディオ機器用の回路に接続される。このとき、スライドプロテクタ１２は、コネクタハウジング１１の回動に伴い、待ち受けコネクタ１０に近づくように図５中の右方向にさらにスライド移動される。そして、コンソールボックス１４がスライド６の固定孔８に組付け固定される。
【００２８】
図６に示すように、コンソールボックス１４の相手側コネクタ１５に嵌合された待ち受けコネクタ１０は、スライダ６とともにコンソールボックス１４が後方または前方に移動する際に、フロアワイヤハーネス１６がカバー部材３のフロアワイヤハーネス挿通孔５を通じて移動されながら、コンソールボックス１４に結合されたままで移動される。
【００２９】
そして、コンソールボックス１４が図３に示した最前位置に到達してから、スライダ６から取り外されると、図５、図４に示した動きが反対方向に行われることで、図３に示したように、待ち受けコネクタ１０は、弾性部材１３が弾性復元することで、コネクタハウジング１１がカバー部材３のコネクタ挿通孔４内に収納され、嵌合口１８がカバー部材３に覆われて車室内に露呈させることなく、フロア１の面方向に配置されることとなる。
【００３０】
以上説明したように、第１実施形態の待ち受けコネクタ１０によれば、コンソールボックス１４が取り外されている際には、コネクタハウジング１１は、その嵌合口１８を車室内に露呈させることなくフロア１内に収納され、コンソールボックス１４が組み付けられた際に、組み付けに伴い自動的にその嵌合口１８を露呈させ、相手側コネクタ１５との接続に備える。即ち、必要に応じて嵌合口１８を露呈させるもので、それにより異物の侵入や浸水を低減できるとともに調芯精度を向上させることができる。また、連動機構である弾性部材１３によって、コネクタハウジング１１の回動に伴いフロアワイヤハーネス１６に作用する負荷を、スライドプロテクタ１２とコネクタハウジング１１との間での長さを一定に保つことで軽減することができる。
【００３１】
また、第１実施形態の待ち受けコネクタ１０によれば、弾性部材１３が、コネクタハウジング１１とスライドプロテクタ１２との間に渡されていることで、複雑な機構を伴うことなく簡素な構造でフロアワイヤハーネス１６に作用する負荷を軽減することができる。
【００３２】
（第２実施形態）
次に、図７〜図１５を参照して、本発明の待ち受けコネクタの第２実施形態について説明する。図７は本発明の待ち受けコネクタの第２実施形態のコンソールボックス取り付け時の外観斜視図、図８は図７の待ち受けコネクタの正面図、図９は図７の待ち受けコネクタの要部分解斜視図、図１０、図１２、図１３、図１５は図７の待ち受けコネクタにおけるコンソールボックスの取り付け手順を説明するそれぞれ一部破断側面図、図１１は図１０の底面図、図１４は図１３の底面図である。尚、以下の第２実施形態において、上述した第１実施形態と重複する構成要素や機能的に同様な構成要素等については、図中に同一符号あるいは相当符号を付すことによって説明を簡略化あるいは省略する。
【００３３】
図７、図８、図９に示すように、第２実施形態の待ち受けコネクタ３０は、連動機構として、コネクタハウジング１１と共に回動するギア３１と、スライダ６のブラケット７に軸支されていてギア３１に噛合うピニオンギア３２、及びピニオンギア３２に噛合うラックギア３３を用いており、スライドプロテクタ１２がラックギア３２に固定されている。
【００３４】
次に、第２実施形態の待ち受けコネクタ３０における相手側コネクタ１５との組付けおよび動きを、図１０〜図１５を参照して順次説明する。
【００３５】
図１０、図１１に示すように、コンソールボックス１４がフロア１上にあってフロア１に組付けされる以前に、待ち受けコネクタ３０は、コネクタハウジング１１がカバー部材３のコネクタ挿通孔４内に収納されており、嵌合口１８がカバー部材３に覆われて車室内に露呈させることなく、フロア１の面方向に配置されている。このとき、スライドプロテクタ１２は、コネクタハウジング１１が嵌合口１８をフロア１方向に向けているために、待ち受けコネクタ３０から離れた位置に配置されてフロアワイヤハーネス１６を、ほぼ直線状に保持している。相手側コネクタ１５は、スライダ６の前側上方にある。
【００３６】
図１２に示すように、コンソールボックス１４がスライダ６の固定孔８に向けて降下してくると、相手側コネクタ１５の押圧突起２２が待ち受けコネクタ３０の押圧部２０を下方に向けて押圧する。これに伴い、待ち受けコネクタ３０は、枢支軸１９を介して図１２中反時計回転方向に回動を始め、嵌合口１８をフロア１の上方に向けるように、カバー部材３のコネクタ挿通孔４上に突出し始める。このとき、スライドプロテクタ１２は、コネクタハウジング１１の回動に伴い、コネクタハウジング１１のギア３１に噛み合うピニオンギア３２を介してラックギア３３がコネクタハウジング１１に近づく方向に進行していくために、図１２中の左方向にスライド移動される。これにより、フロアワイヤハーネス１６のスライドプロテクタ１２とコネクタハウジング１１との間での長さ（Ａ）を一定に保ってフロアワイヤハーネス１６に作用する負荷を軽減する。
【００３７】
図１３、図１４に示すように、コンソールボックス１４がスライダ６の固定孔８に向けてさらに降下してくると、相手側コネクタ１５の押圧突起２２によって待ち受けコネクタ３０が嵌合口１８をフロア１の上方に向けて配置されて待ち受けコネクタ１０がフロア１上に突出して配置され、嵌合口１８が上方に向けて配置されている待ち受けコネクタ３０に相手側コネクタ１５の嵌合口２１が嵌合される。これにより、フロアワイヤハーネス１６がコンソールボックス１４内の携帯電話ハンズフリー用の回路や携帯型オーディオ機器用の回路に接続される。このとき、スライドプロテクタ１２は、コネクタハウジング１１の回動に伴い、コネクタハウジング１１のギア３１に噛み合うピニオンギア３２を介してラックギア３３がコネクタハウジング１１にさらに近づく方向に進行していくために、図１３中の左方向にさらにスライド移動される。そして、コンソールボックス１４がスライド６の固定孔８に組付け固定される。
【００３８】
図１５に示すように、コンソールボックス１４の相手側コネクタ１５に嵌合された待ち受けコネクタ３０は、スライダ６とともにコンソールボックス１４が後方または前方に移動する際に、フロアワイヤハーネス１６がカバー部材３のフロアワイヤハーネス挿通孔５を通じて移動されながら、コンソールボックス１４に結合されたままで移動される。
【００３９】
そして、コンソールボックス１４が図１０に示した最前位置に到達してから、スライダ６から取り外されると、図１３、図１２に示した動きが反対方向に行われることで、図１０に示したように、コネクタハウジング１１のギア３１に噛み合うピニオンギア３２を介してラックギア３３がコネクタハウジング１１から離れる方向に戻り進行していくために、図１３中の右方向にスライド移動され、待ち受けコネクタ３０は、コネクタハウジング１１がカバー部材３のコネクタ挿通孔４内に収納され、嵌合口１８がカバー部材３に覆われて車室内に露呈させることなく、フロア１の面方向に配置されることとなる。
【００４０】
第２実施形態の待ち受けコネクタ３０は、第１実施形態と同様の作用効果を奏するが、特に第２実施形態の待ち受けコネクタ３０によれば、連動機構として、コネクタハウジング１１と共に回動するギア３１と、ギア３１に噛合うピニオンギア３２、及びピニオンギア３２に噛合うラックギア３３を用いて、スライドプロテクタ１２がラックギア３３に固定されていることで、ギア３１とピニオンギア３２とラックギア３３とからなる歯車機構によって、コネクタハウジング１１とスライドプロテクタ１２との動作を誤差なく確実に行うことができる。
【００４１】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００４２】
例えば、組立体として、図示したコンソールボックスに代えてシート装置を用いても良く、その場合には、スライダを一対設けることは言うまでもない。
【００４３】
また、連動機構として、図示した弾性部材および歯車機構に代えて、プーリを用いた動力伝達機構等のメカトロ機構を適用しても良い。
【図面の簡単な説明】
【００４４】
【図１】本発明の待ち受けコネクタの第１実施形態のコンソールボックス取り付け時の外観斜視図である。
【図２】図１の待ち受けコネクタの正面図である。
【図３】図１の待ち受けコネクタにおけるコンソールボックスの取り付け手順を説明する第１段階の一部破断側面図である。
【図４】図１の待ち受けコネクタにおけるコンソールボックスの取り付け手順を説明する第２段階の一部破断側面図である。
【図５】図１の待ち受けコネクタにおけるコンソールボックスの取り付け手順を説明する第２段階の一部破断側面図である。
【図６】図１の待ち受けコネクタにおけるコンソールボックスの取り付け手順を説明する第３段階の一部破断側面図である。
【図７】本発明の待ち受けコネクタの第２実施形態のコンソールボックス取り付け時の外観斜視図である。
【図８】図７の待ち受けコネクタの正面図である。
【図９】図７の待ち受けコネクタの要部分解斜視図である。
【図１０】図７の待ち受けコネクタにおけるコンソールボックスの取り付け手順を説明する第１段階の一部破断側面図である。
【図１１】図１０の底面図である。
【図１２】図７の待ち受けコネクタにおけるコンソールボックスの取り付け手順を説明する第２段階の一部破断側面図である。
【図１３】図７の待ち受けコネクタにおけるコンソールボックスの取り付け手順を説明する第３段階の一部破断側面図である。
【図１４】図１３の底面図である。
【図１５】図７の待ち受けコネクタにおけるコンソールボックスの取り付け手順を説明する第４段階の一部破断側面図である。
【図１６】従来の待ち受けコネクタの概略図である。
【符号の説明】
【００４５】
１          フロア
２          収納部
１０，３０  待ち受けコネクタ
１１        コネクタハウジング
１２        スライドプロテクタ
１３        弾性部材（連動機構）
１４        コンソールボックス（組付体）
１５        相手側コネクタ
１６        フロアワイヤハーネス（ワイヤハーネス）
１８        嵌合口
３１        ギア（連動機構）
３２        ピニオンギア（連動部材）
３３        ラックギア（連動部材）
【図１】
2008123748.tif 000003
【図２】
2008123748.tif 000004
【図３】
2008123748.tif 000005
【図４】
2008123748.tif 000006
【図５】
2008123748.tif 000007
【図６】
2008123748.tif 000008
【図７】
2008123748.tif 000009
【図８】
2008123748.tif 000010
【図９】
2008123748.tif 000011
【図１０】
2008123748.tif 000012
【図１１】
2008123748.tif 000013
【図１２】
2008123748.tif 000014
【図１３】
2008123748.tif 000015
【図１４】
2008123748.tif 000016
【図１５】
2008123748.tif 000017
【図１６】
2008123748.tif 000018